(57)【要約】  本開示は、（ａ）少なくとも一部が反射可能であり得る内表面を有するハウジングと、（ｂ）ハウジングの内部に配置された少なくとも１つのリアクタセルであって、該少なくとも１つのリアクタセルは、筐体と、少なくとも１つの筐体内に配置された触媒担体上のプラズモン光触媒とを含み、筐体は光学的に透明であって、反応物質を少なくとも１つのセルに入力する少なくとも１つの入力と、改質物を少なくとも１つのセルから排出する少なくとも１つの出力とを含む、少なくとも１つのリアクタセルと、（ｃ）ハウジングの内部および／または外部に配置された少なくとも１つの光源と、を含む。【選択図】図１Ａ
2020525283.tif 000002
【特許請求の範囲】
【請求項１】
ハウジングと、
前記ハウジング内部に配置され、筐体と、前記少なくとも１つの筐体内に配置された触媒担体上のプラズモン光触媒とを備える少なくとも１つのリアクタセルであって、前記筐体は、光学的に透明であり、反応物質を前記少なくとも１つのセルに入力するための少なくとも１つの入力と、改質物を前記少なくとも１つのセルから排出するための少なくとも１つの出力とを備える、前記少なくとも１つのリアクタセルと、
少なくとも１つの光源であって、前記リアクタセルは、該少なくとも１つの光源を使用すると前記反応物質を前記改質物に変化させるように構成されている、前記少なくとも１つの光源とを備える、リアクタシステム。
【請求項２】
前記少なくとも１つの光源は、前記ハウジングの中央長軸に沿って延びかつ同軸に配置されている、請求項１に記載のリアクタシステム。
【請求項３】
前記少なくとも１つの光源は、前記ハウジング内で同軸に配置され、前記少なくとも１つのリアクタセルは、前記少なくとも１つの光源を取り囲むように配置された複数のリアクタセルを備える、請求項１に記載のリアクタシステム。
【請求項４】
前記少なくとも１つの光源は、ＬＥＤ、メタルハライドランプ、高圧ナトリウムランプ、キセノンランプ、白熱電球、蛍光ランプ、ハロゲンランプ、ＨＩＤランプ、およびレーザからなる群から選択される少なくとも１つの光源を備える、請求項１に記載のリアクタシステム。
【請求項５】
前記複数のリアクタセルはそれぞれ、外側の空洞と、該外側の空洞と同軸に配置された中央の空洞とを有する筐体を備え、各リアクタセルの前記外側の空洞は前記触媒担体上のプラズモン光触媒を含み、前記中央の空洞は、光源と温度管理機構のうちの少なくとも１つを配置できるように構成されている、請求項１に記載のリアクタシステム。
【請求項６】
前記温度管理機構は、金属ロッド、複数の金属ワイヤ、または流体温度管理システムのうちの少なくとも１つであり、前記流体温度管理システムは、供給された流体が前記複数のリアクタセルのそれぞれを通って前記リアクタシステムの温度を変更するように（ａ）各リアクタセルの前記中央の空洞の第１の端部に結合された流体入力と、（ｂ）各リアクタセルの前記中央の空洞の第２の端部に結合された流体出力とを備えている、請求項５に記載のリアクタシステム。
【請求項７】
各リアクタセルの前記少なくとも１つの入力に接続されたリアクタ流体分配器と、
各リアクタセルの少なくとも１つの出力に接続された流体集積器とをさらに備える、請求項１に記載のリアクタシステム。
【請求項８】
前記少なくとも１つのセルの筐体へ前記少なくとも１つの反応物質を輸送する、または前記少なくとも１つのセルの筐体から前記少なくとも１つの改質物を輸送するための少なくとも１つの輸送経路に前記少なくとも１つのセルを結合する１または複数の取り付け具をさらに備える、請求項１に記載のリアクタシステム。
【請求項９】
前記少なくとも１つの反応物質は流体である、請求項１に記載のリアクタシステム。
【請求項１０】
太陽光集中装置と、
光触媒リアクタセルへの電磁放射の発生を増加させるように前記太陽光集中装置に対して配置された光触媒リアクタセルとを備える、リアクタシステム。
【請求項１１】
前記太陽光集中装置は反射板または屈折器を備える、請求項１０に記載のリアクタシステム。
【請求項１２】
前記太陽光集中装置はフレネルレンズを備え、前記光触媒リアクタセルは前記フレネルレンズの焦点に配置されている、請求項１０に記載のリアクタシステム。
【請求項１３】
複数の太陽光集中装置と、前記光触媒リアクタセルのそれぞれへの電磁放射の発生を増加させるように前記複数の太陽光集中装置に対して配置された複数の光触媒リアクタセルとをさらに備える、請求項１０に記載のリアクタシステム。
【請求項１４】
少なくとも１つの反応物質を少なくとも１つの改質物に変化させる方法であって、
少なくとも１つの反応物質をハウジング内に配置された複数のリアクタセル内に分配する工程であって、前記リアクタセルは、光学的に透明な筐体と、該光学的に透明な筐体内に配置された触媒担体上のプラズモン光触媒とを備える工程と、
前記複数のリアクタセルが少なくとも１つの反応物質を少なくとも１つの改質物に変化させるように、少なくとも１つの光源を介して前記ハウジングの内部を照射する工程と、
前記複数のリアクタセルから前記少なくとも１つの改質物を集める工程と、を備える方法。
【請求項１５】
前記ハウジングは、反射内表面を備え、前記ハウジングの反射内表面で少なくとも１つの光源からの光を反射し、前記複数のリアクタセルへ導く工程をさらに備える、請求項１４に記載の方法。
【請求項１６】
前記複数のリアクタセルのそれぞれの光学的に透明な筐体は、外側の空洞と、該外側の空洞と同軸に配置された中央の空洞とを備え、各リアクタセルの前記外側の空洞は、前記触媒担体上の前記プラズモン光触媒を含み、各リアクタセルの前記中央の空洞は光源を含み、前記照射は前記複数のリアクタセルのそれぞれの前記中央の空洞に含まれる前記光源から行われる、請求項１４に記載の方法。
【請求項１７】
前記複数のリアクタセルのそれぞれの光学的に透明な筐体は、外側の空洞と、該外側の空洞と同軸に配置された中央の空洞とを備え、各リアクタセルの前記外側の空洞は前記触媒担体上の前記プラズモン光触媒を含み、各リアクタセルの前記中央の空洞は温度管理機構を含み、前記方法は、前記少なくとも１つの反応物質を前記少なくとも１つの改質物に変化させることを補助するように、前記複数のリアクタセルのそれぞれにおける温度管理機構を介して前記複数のリアクタセルを加熱する工程をさらに備える、請求項１４に記載の方法。
【請求項１８】
前記複数のリアクタセルのそれぞれにおいて前記温度管理機構を介して加熱する工程は、前記複数のリアクタセルのそれぞれの前記中央の空洞の第１の端部に結合された流体入力から前記複数のリアクタセルのそれぞれの前記中央の空洞の第２の端部に結合された流体出力へ流体を供給し、前記流体により前記複数のリアクタセルのそれぞれを加熱する工程を備える、請求項１７に記載の方法。
【請求項１９】
前記複数のリアクタセルのそれぞれにおいて前記プラズモン光触媒と反応する前記少なくとも１つの反応物質を介して前記複数のリアクタセルを加熱する工程をさらに備える、請求項１４に記載の方法。
【請求項２０】
前記少なくとも１つの光源は前記ハウジングの外部に設けられた光源を有し、前記ハウジングは少なくとも部分的に透明であり、前記ハウジングの内部を照射する工程は、前記光源からの電磁放射を前記ハウジングを通して前記複数の光触媒リアクタセルへ向ける工程を含む、請求項１４に記載の方法。
【請求項２１】
ハウジングと、
前記ハウジング内に配置された複数のリアクタセルであって、各リアクタセルは、反射内表面を有する筐体と、入力と、出力と、光源と、前記筐体内に配置された触媒担体上の少なくとも１つのプラズモン光触媒であって、前記プラズモン光触媒はプラズモン材料に結合された触媒を備える少なくとも１つのプラズモン光触媒を備える複数のリアクタセルと、
少なくとも１つの反応物質を、各リアクタセルの前記入力を介して前記複数のリアクタセルに分配する分配器と、
各リアクタセルの前記出力を介して、前記複数のリアクタセルから少なくとも１つの改質物を集める集積器とを備える、リアクタシステム。
【発明の詳細な説明】
【技術分野】
【０００１】
１．関連出願
本出願は以下の米国特許出願に基づく優先権を主張し、これらの米国特許出願に記載された全ての記載内容を引用により援用するものである。２０１７年６月２７日出願の米国仮特許出願第６２／５２５，３０１号、２０１７年６月２７日出願の米国仮特許出願第６２／５２５，３０５号、２０１７年６月２７日出願の米国仮特許出願第６２／５２５，３８０号、２０１７年１１月１５日出願の米国仮特許出願第６２／５８６，６７５号。
【０００２】
さらに、以下の特許出願も引用により全ての記載内容を援用する。２０１８年５月１１日出願の国際特許出願第ＰＣＴ／ＵＳ１８／３２３７５号、２０１８年５月１１日出願の米国特許出願第１５，９７７，８４３号、及び、これと同時に出願された「透明筐体を有するリアクタセル」という表題の国際特許出願第（未定）。
２．本開示の技術分野
本開示は、概して、少なくとも１つの光源と複数のリアクタセルとを有するリアクタシステムに関し、各リアクタセルは、光学的に透明な筐体と、筐体内に配置された触媒担体上の１または複数のプラズモン光触媒を有する。
【背景技術】
【０００３】
３．背景技術
工業プロセスは、化学製品製造や環境汚染物質の緩和に用いる不均一系触媒に大きく依存している。これらのプロセスは、表面積の広い担体材料に分散した金属ナノ粒子に依存する場合が多く、触媒として活性な表面積を最大にするとともに、触媒（パラジウム、白金、ルテニウム、またはロジウム）を最も費用対効果が高く用いることができる。遷移金属ナノ粒子を利用した触媒プロセスは、多くの場合エネルギー集約的であり、触媒活性を最大にするために高温および高圧力を必要とする。したがって、効率的で費用対効果の高い触媒システムが必要とされる。
【発明の概要】
【０００４】
発明者らは、人工または自然光源を利用した効率的なリアクタシステムを発見した。本開示のリアクタシステムは、１または複数の目標波長の吸収を最大化する、および／または所望の化学反応に触媒作用を及ぼすように設計される。その結果、ここに開示するリアクタシステムは、現在の多くの工業プロセスに対して費用対効果が大きく環境的に持続可能な解決方法になりうる。
【０００５】
したがって、ある態様によれば、本開示は、ハウジングと、ハウジング内に配置された少なくとも１つのリアクタセルとを備えるリアクタシステムを提供する。前記少なくとも１つのリアクタセルは、筐体と、前記少なくとも１つの筐体内に配置された触媒担体上のプラズモン光触媒とを備え、前記筐体は光学的に透明であり、反応物質を少なくとも１つのセルに入力するための少なくとも１つの入力と、改質物を前記少なくとも１つのセルから排出するための少なくとも１つの出力とを備える。少なくとも１つの光源を用いると、前記リアクタセルは前記反応物質を前記改質物に変化させるように構成される。
【０００６】
別の態様によれば、本開示は、太陽光集中装置と、光触媒リアクタセルへの電磁放射の発生を増加させるように太陽光集中装置に対して配置された光触媒リアクタセルとを提供する。
【０００７】
さらに別の態様によれば、本開示は、少なくとも１つの反応物質を少なくとも１つの改質物に変化させる方法を提供する。上記方法は、（ａ）少なくとも１つの反応物質をハウジング内に配置された複数のリアクタセル内に分配する工程であって、各リアクタセルは、光学的に透明な筐体と、光学的に透明な筐体内に配置された触媒担体上のプラズモン光触媒とを備える工程と、（ｂ）少なくとも１つの光源を用いて前記ハウジングの内部を照射して、前記複数のリアクタセルが少なくとも１つの反応物質を少なくとも１つの改質物に変化させる工程と、（ｃ）前記少なくとも１つの改質物を前記複数のリアクタセルから集める工程と、を備える。
【図面の簡単な説明】
【０００８】
添付の図面は、本開示の方法および装置をさらに理解するために含まれており、本明細書の一部に組み込まれ、この明細書の一部を構成するものである。図面は必ずしも縮尺どおりであるとは限らず、理解を促進するために、様々な要素のサイズが単純化するために歪められ、および／または簡略化された表現として示されている場合があり得る。図面は本開示の１または複数の実施形態を図示し、説明とともに、発明の原理や動作を説明する役割を果たす。
【図１Ａ】本開示のある実施形態に係るリアクタセルの側断面図である。
【図１Ｂ】本開示のある実施形態に係るリアクタセルの分解斜視側面図である。
【図２Ａ】本開示のある実施形態に係るリアクタシステムの構成を示す斜視側面図である。
【図２Ｂ】図２Ａの実施形態に係るリアクタシステムの構成を示す分解斜視側面図である。
【図３Ａ】本開示のある実施形態にかかるリアクタセルの構成例を示す側断面図である。
【図３Ｂ】図３Ａの実施形態に係るリアクタセルの構成例を示す端部断面図である。
【図４Ａ】本開示のある実施形態に係るリアクタセルの構成例を示す側断面図である。
【図４Ｂ】図４Ａの実施形態に係るリアクタセルの構成例を示す端部断面図である。
【図５Ａ】本開示のある実施形態に係るリアクタセルの構成例を示す側断面図である。
【図５Ｂ】図５Ａの実施形態に係るリアクタセルの構成例を示す端部断面図である。
【図６】ビーズ状の触媒担体を有するリアクタセルの構成例を詳細に示す断面図である。
【図７Ａ】本開示のある実施形態に係るリアクタセルシステムの構成例を示す端部断面図である。
【図７Ｂ】本開示のある実施形態に係るリアクタセルシステムの構成例を示す端部断面図である。
【図７Ｃ】本開示のある実施形態に係るリアクタセルシステムの構成例を示す端部断面図である。
【図７Ｄ】本開示のある実施形態に係るリアクタセルシステムの構成例を示す端部断面図である。
【図８】本開示のある実施形態に係る太陽光集中装置を有するリアクタシステムの構成例を示す斜視図である。
【発明を実施するための形態】
【０００９】
本開示のシステムおよび方法を説明する前に、本明細書に記載される態様は、特定の実施形態、装置、または構成に限定されるものではなく、当然ながら、変更可能であると理解されるべきである。また、本明細書において使用される用語は特定の態様を記述する目的でのみ使用されるものであり、本明細書において特に定義されない限り、限定的なものではないと理解されるべきである。
【００１０】
本明細書を通じて、文脈で別段の必要がない限り、「備える」および「含む」およびそれらの変形例（例えば、「備える」、「含む」等）は記載された構成要素、特徴、要素、ステップ、または構成要素、特徴、要素、ステップのまとまりを含むことを意味するが、その他の構成要素、特徴、要素、ステップ、または構成要素、特徴、要素、ステップのまとまりを除外するものではない。
【００１１】
明細書及び添付の特許請求の範囲において使用されるように、単数形は、文脈が明確に別段の指示を行わない限り、複数の対象を含む。
【００１２】
本明細書において使用される場合、「結合」は、ある要素の他の要素への物理的、電子的、熱的、または光学的結合を含む。
【００１３】
本明細書において、範囲は、「約」ある特定の値から、および／または「約」別の特定の値までと表すことができる。そのような範囲を表す場合、別の態様として、前記ある特定の値から、および／または前記別の特定の値までとして表すことができる。同様に、値が近似として表現される場合、先行する「約」を用いることにより、前記特定の値が別の態様を構成することが理解されるであろう。さらに、各範囲の終点は、別の終点と関連して、および別の終点とは独立して、重要であることが理解されるであろう。
【００１４】
特に明記されていない限り、本明細書におけるパーセンテージ、比、および比率は全て重量単位である。構成要素の重量パーセント（重量％またはｗｔ％）は、特に別段の記載がない限り、前記構成要素が含まれる構成要素の総重量（例えば、触媒材料の総量）に基づいている。
【００１５】
本開示に鑑みて、本明細書に記載されたプロセスや活物質は、当業者によって所望の要求を満たすように構成することができる。一般に、開示されたシステム、方法、および装置は、光触媒プロセスおよび材料を改善する。一般に、本開示は、少なくとも一部が反射面であってもよい内表面を有するハウジングを備えるリアクタシステムを提供する。リアクタシステムは、ハウジング内部に配置された少なくとも１つのリアクタセルをさらに備えている。少なくとも１つのリアクタセルは、筐体と、筐体内に配置された触媒担体上のプラズモン光触媒とを備える。セルの筐体は光学的に透明であり、少なくとも１つのセルに反応物質を入力するための少なくとも１つの入力と、少なくとも１つのセルから改質物を排出するための少なくとも１つの出力とを有する。リアクタシステムは、少なくとも１つの光源をさらに備え、少なくとも１つの光源はハウジング内部および／またはハウジングの外部に配置されてもよい。
【００１６】
一般に、リアクタシステムは光源によりリアクタセルを照射するように設計されており、該光源はそれぞれ１または複数の光源から構成されてもよい。本開示のリアクタシステムのある実施形態を、図２Ａの断面図に示す。同じリアクタシステム２００の要素も、図２Ｂの分解図に示す。本実施形態によると、少なくとも１つのリアクタセル１００と少なくとも１つの光源２２０がリアクタハウジング２３０内に配置される。リアクタシステム２００はリアクタ取り付け具２４０をさらに備えており、リアクタ取り付け具２４０はさらに（例えば改質反応に用いられる）別のシステムに結合されてもよい。本開示のリアクタシステムの複数の別の実施形態を、図３Ａおよび図３Ｂ、図４Ａおよび図４Ｂ、図５Ａおよび図５Ｂに示す。いくつかの実施形態によれば、図７Ａから図７Ｄに示すように、リアクタシステムはいくつかの光源２２０および／または温度管理機構２５０を有してもよい。
【００１７】
ある実施形態によれば、リアクタ取り付け具２４０は、（入力用の）リアクタ流体分配器と（出力用の）リアクタ流体集積器とを備えてもよい。任意の従来のリアクタ流体分配器または集積器を用いてもよい。例えば、リアクタ流体分配器または集積器は、米国特許番号４，７８８，０４０（引用により援用）に開示されたものと類似したものでもよく、リアクタ流体分配器と集積器の開口部は、リアクタセルの配置と一致する。いくつかの実施形態によれば、リアクタ流体分配器および／または集積器の（例えばリアクタセルに面した）内表面は、反射面であってもよい。
【００１８】
ある実施形態によれば、少なくとも１つの光源は、ハウジングの中心長軸に沿って同軸に延びて配置されてもよい。別の実施形態によれば、少なくとも１つの光源は、少なくとも１つのＬＥＤ、メタルハライドランプ、高圧ナトリウムランプ、キセノンランプ、白熱電球、蛍光ランプ、ハロゲンランプ、ＨＩＤ、レーザまたはこれらの組み合わせであってもよい。さらに別の実施形態によれば、少なくとも１つの光源は、長さ方向に配置された複数のＬＥＤを有する少なくとも１つのコーンコブＬＥＤランプを有してもよい。
【００１９】
別の実施形態によれば、少なくとも１つのリアクタセルは、伸長してもよく、または断面が円形であってもよい。この実施形態によれば、少なくとも１つのリアクタセルは、少なくとも１つの光源に平行または同軸に配列してもよい。例えば、さらに別の実施形態によれば、少なくとも１つの光源はハウジング内に同軸に設けられてもよく、少なくとも１つのリアクタセルは少なくとも１つの光源を取り囲むように配置された複数のリアクタセルを有する。
【００２０】
ある実施形態によれば、ハウジングは、例えば、断面が円形または多角形である。ある実施形態によれば、ハウジングの内径は、約１２ｃｍから約１２８ｃｍである。ハウジングの内径は、さらに約２４ｃｍから約７２ｃｍであってもよい。ある実施形態によれば、複数のリアクタセルはそれぞれ約２ｃｍから約４ｃｍの直径を有する。リアクタセルは、例えば、１２個から２４個設けられてもよい。
【００２１】
別の実施形態によれば、ハウジングの内径は約１２ｃｍから約１８ｃｍでもよい。図４Ａおよび図４Ｂに示すように、複数のリアクタセルのそれぞれは、約２ｃｍの直径を有し、リアクタセルの個数は、例えば、５０個から１００個でもよい。さらに別の実施形態によれば、図５Ａおよび図５Ｂに示すように、複数のリアクタセルはそれぞれ約１ｃｍの直径を有してもよく、リアクタセルは例えば少なくとも１００個のリアクタセルを含んでいる。
【００２２】
ある実施形態によれば、図７Ｂに示すように、リアクタシステムは、ハウジング内に同軸に配置された少なくとも１つの軸２５５を有する。少なくとも１つの軸は、反射外表面を有してもよい。本実施形態によれば、複数のリアクタセルと複数の光源は、交互に配置する等、少なくとも１つの軸に対して平行に、かつ軸を囲むように配置されている。さらに別の実施形態によれば、少なくとも１つの軸２５５は、少なくとも１つの軸２５５に流体が流れてリアクタシステムを温度管理するように、第１の端部に入力を有し第２の端部に出力を有する空洞を有してもよく、その場合、流体は温度管理機構２５０の少なくとも一部を構成する。別の実施形態によれば、少なくとも１つの軸は、熱伝導可能な金属ロッドおよび／または複数の金属ワイヤを備えている。
【００２３】
別の実施形態によれば、リアクタシステムは、少なくとも１つの光源に結合された内表面を有するハウジングを備えている。リアクタシステムは、ハウジングの内部に配置された少なくとも１つのリアクタセルをさらに有する。少なくとも１つのリアクタセルは、筐体と、筐体内に配置された触媒担体上のプラズモン光触媒とを備える。筐体は、光学的に透明であり、反応物質を少なくとも１つのリアクタセルに入力するための少なくとも１つの入力と、改質物を少なくとも１つのリアクタセルから排出するための少なくとも１つの出力とを備える。リアクタシステムは、ハウジング内に配置された反射外表面を有する少なくとも１つの軸を有してもよい。ある実施形態によれば、少なくとも１つの軸はハウジング内に同軸に配置される。
【００２４】
いくつかの実施形態によれば、光源は太陽光源である。例えば、光源は、太陽、別の星、または他の任意の発光天体を含んでもよい。そのような場合、リアクタシステムは、太陽光集中装置を備え、光エネルギーを光触媒リアクタセルに与え、光触媒リアクタセルは多くのそのような光触媒リアクタセルの一部であってもよい。
【００２５】
太陽光源を利用するリアクタシステムは、反射板または屈折器等の太陽光集中装置と、光触媒リアクタセルへの電磁放射の発生を増加させるように太陽光集中装置に対して配置された光触媒リアクタセルとを備えてもよい。ある実施例によると、太陽光集中装置は、放物面鏡トラフ、放物面ディッシュ、フレネル反射板、コンパクトリニアフレネル反射板（ＣＬＦＲ）、太陽光タワー、平板集光器、真空管集光器、または他の種類の反射板、等の反射板を備えている。別の実施例によれば、太陽光集中装置はレンズ（例えばフレネルレンズ）等の屈折器を備えている。
【００２６】
図８は、太陽光集中装置が放物面鏡トラフ８００である、実施形態の一例を示す。図に示すように、放物面鏡トラフ８００は、太陽（または他の光源）から入射した電磁放射を反射する焦線を数学的に確定するようにカーブする放物形状の鏡面８００を備える。放物面鏡トラフ８００は、放物面鏡トラフ８００を、地球（地球上の物体を含む）等の物体、乗り物、天体、衛星等の物体に取り付けるためのスタンド、フレーム、ベース、または他の手段等の取り付け機構８０４をさらに備える。光触媒リアクタセルは中心軸（例えば、細長い円筒形状のセルの長軸）に沿って放物面鏡トラフの焦線に実質的に並ぶように配置されている。
【００２７】
図８は単一の光触媒リアクタセル１００と単一の放物面鏡トラフ８００のみを示すが、いくつかの実施形態によれば、（複数の放物面鏡トラフのうちの少なくとも１つの焦線に対して中心軸に沿って実質的に並ぶように配置された）単一の光触媒リアクタセルと１つ以上の放物面鏡トラフを設けてもよく、または、（複数の放物面鏡トラフのうちの少なくとも１つの焦線に対して中心軸に沿って実質的に並ぶようにそれぞれ配置された）複数の光触媒リアクタセルと複数の放物面鏡トラフを設けてもよい。
【００２８】
図８に示す放物面鏡トラフ８００の代わりに、太陽光集中装置は、放物面ディッシュを備えていてもよく、光触媒リアクタセルが放物面ディッシュの焦点に実質的に配置されていてもよい。例えば、放物面ディッシュは、他の反射ディッシュ部にそれぞれ隣接して配置され列を形成する複数の反射ディッシュ部を備えてもよい。
【００２９】
または、太陽光集中装置はフレネル反射板をさらに備え、光触媒リアクタセルがフレネル反射板の焦線に対して中心軸に沿って実質的に並ぶように配置されてもよい。例えば、フレネル反射板はコンパクトリニアフレネル反射板（ＣＬＦＲ）を備えてもよい。
【００３０】
さらに別の例によれば、太陽光集中装置は、可動式反射板の列から集束した電磁放射を受けるように構成された太陽光タワーを備えてもよい。そのような構成において、ある実施形態によれば、光触媒リアクタセルは可動式反射板の列の焦点において太陽光タワーに配置されている。
【００３１】
他の太陽光集中装置の実施形態は、複数の反射板を利用してもよい。平板集光器および／または真空管集光器をいくつかの実施形態で用いてもよい。
【００３２】
太陽光集中装置に用いた反射板の代わりに屈折器を用いてもよい。例えば、太陽光集中装置は屈折レンズを備えており、光触媒リアクタセルが、屈折レンズの焦点に配置されてもよい。例えば、太陽光集中装置はフレネルレンズを備え、光触媒リアクタセルがフレネルレンズの焦点に配置されてもよい。
【００３３】
上記の実施形態によれば、本明細書に記載されているように、放物面鏡トラフ８００等の特定の太陽光集中装置および／または集中要素はハウジングまたは少なくともハウジングの一部を構成してもよい。別の例として、そのような太陽光集中装置および／または集中要素は、少なくとも一部が光学的に透明である別体としてのハウジング内に設けられてもよい。
【００３４】
上述した太陽光源の各実施形態によれば、太陽光集中装置は、太陽光集中装置に対して法線方向に入射した電磁放射を実質的に最大にするように設けられると有利である。ある実施形態によれば、太陽光集中装置の長さが南北方向に配置され、リアクタシステムがコンピュータ制御の太陽追尾システムをさらに備え、太陽光集中装置に入射する電磁放射の角度が最適になるように太陽光集中装置が維持されてもよい。一般に、上述の太陽光集中装置のいずれかを、太陽（または他の光源）を追尾するように制御して、太陽光集中装置に対して法線方向に入射する電磁放射の強度を実質的に最大にしてもよい。
【００３５】
上述の太陽光源の実施形態のいくつかにおいて、光触媒リアクタセルは、受光した光を触媒担体１２０（例えば図１Ａ参照）に反射して戻すために、筐体の内表面の少なくとも一部を反射面（例えば鏡面）にすると有利である。例えば、光触媒リアクタセル筐体の内部／内表面は、光触媒リアクタセルから見て太陽光集中装置と反対側を鏡面にしてもよい。光触媒リアクタセルの筐体は大部分が光学的に透明であるべきであるが、少なくとも太陽光集中装置に向かう方向において光学的に透明である。
【００３６】
これまでリアクタに対するいくつかの太陽光源を述べてきたが、他の構成も可能であり、請求項の範囲であることが意図されている。さらに、上述の実施形態では、太陽ではなく、自然光源と人工（電気等）光源との両方を含む光源を適用してもよい。
【００３７】
上述のように、リアクタシステムは１または複数のリアクタセルを備える。本開示のリアクタセルは、少なくとも１つの入力と少なくとも１つの出力とを備える光学的に透明な筐体と、筐体内に配置された触媒担体上の１または複数のプラズモン光触媒とを備える。一般に、プラズモン光触媒は、物理的、電子的、熱的、または光学的等により、プラズモン材料に結合された触媒を備える。本開示のリアクタセルは、光源の照射により、少なくとも１つの反応物質を少なくとも１つの改質物に変化させるように構成されている。
【００３８】
従来の固定ベッドリアクタにおいて、触媒ベッドは光学的に透明ではない（すなわち、光が触媒ベッドを透過しない）。一方、本開示のいくつかの実施形態によれば、少なくとも支持部は光学的に透明である。ある実施形態によれば、本開示のリアクタセルは、光学的に透明な筐体を追加で、または択一的に備えている。いくつかの実施形態によれば、前記光学的に透明な筐体は、所定の光波長に対して少なくとも５０％の透過率を有する。例えば、いくつかの実施形態によれば、光学的に透明な筐体は、所定の光波長に対して約５０％から約１００％の透過率、または、所定の光波長に対して少なくとも５５％、または少なくとも６０％、または少なくとも７０％、または少なくとも８０％、または少なくとも９０％、または少なくとも９５％、さらにまたは少なくとも９８％の透過率を有する。
【００３９】
好ましくは、本開示のいくつかの実施形態による光学的に透明な筐体は、低い熱膨張率を有してもよい。したがって、ある実施形態によれば、前記光学的に透明な筐体は、約１×１０−４／°Ｋ未満の線膨張係数（ＣＴＥ）を有する材料を備える。ある実施形態によれば、前記光学的に透明な筐体は、約１×１０−５／°Ｋ未満のＣＴＥ、または約５×１０−６／°Ｋ未満のＣＴＥ、または約３×１０−６／°Ｋ未満のＣＴＥ、さらにまたは約１×１０−６／°Ｋ未満のＣＴＥを有する材料を備える。例えば、適切なＣＴＥ値を有する物質の例として、３．２×１０−６／°Ｋのホウケイ酸ガラス、３．２×１０−６／°Ｋのパイレックス（登録商標）ガラス、約０．５９×１０−６／°Ｋから約９×１０−６／°Ｋの石英、５．３×１０−６／°Ｋのサファイア、及び０．５５×１０−６／°Ｋの溶融石英があげられるが、これに限るものではない。
【００４０】
当業者であれば、所定の光波長（または波長範囲）に対する所望の透過率、および／または線膨張係数（ＣＴＥ）を有する任意の材料を用いてもよいことを理解するであろう。いくつかの実施形態によれば、光学的に透明な筐体は、ガラス、ホウケイ酸ガラス、石英、溶融石英、アルミノ珪酸ガラス、リチウム−アルミノ珪酸ガラス、サファイア、またはこれらの組み合わせを備える。
【００４１】
ある実施形態によれば、リアクタセルの光学的に透明な筐体はすべての面が光学的に透明な筐体である。しかし、当業者であれば、ある実施形態によれば、光学的に透明な筐体はすべての面が光学的に透明な筐体でなくてもよいことを理解できるであろう。例えば、光学的に透明な筐体の外側の空洞は、中央の空洞（光学的に透明であってもよい）に面する反射面を備えてもよい。
【００４２】
また、本開示のリアクタセルは、物理的、電子的、熱的、または光学的結合等によってプラズモン材料に結合した触媒を備える１または複数のプラズモン光触媒を必要とする。理論に拘束されるものではないが、プラズモン材料は、プラズモン材料と光の特有の相互作用によって光を吸収可能な光アンテナとして作用すると考えられており、その結果、プラズモン材料上およびプラズモン材料の近くで強い電界を発生する（例えば、プラズモン材料内の電子の集団振動の結果による）。このプラズモン材料上またはプラズモン材料の近くの強い電界によって、触媒とプラズモン材料とが約２０ｎｍ以上離れた場合でも、触媒とプラズモン材料とが結合することができる。
【００４３】
一般に、プラズモン材料は、任意の金属、合金、メタロイド元素、またはその合金であってもよい。いくつかの実施形態によれば、本開示のプラズモン材料は、金、金合金、銀、銀合金、銅、銅合金、アルミニウム、アルミニウム合金のいずれかである。本開示において、「合金」は任意の金属の可能な組み合わせを含む。例えば、合金は、ＡｕＡｇ、ＡｕＰｄ、ＡｇＰｄ、ＡｕＣｕ、ＡｇＣｕ等の二元合金、またはそれらは三元合金、さらには四元合金であってもよい。
【００４４】
いくつかの実施形態によれば、本開示のプラズモン材料は、酸化されていないコアを取り囲む酸化物シェルを備える。１または複数の実施形態によれば、酸化物シェルは、金属または合金が空気または水にさらされると生成される天然／自然酸化物シェルであってもよい。例えば、銅プラズモン材料は、銅のコアを取り囲む銅酸化物（例えば、ＣｕＯまたはＣｕ２Ｏ）を有していてもよく、アルミニウムプラズモン材料は、アルミニウムのコアを取り囲むアルミニウム酸化物シェルを有していてもよい。いくつかの実施形態によれば、適切な化学的方法、または化学的合成、そうでない場合は堆積によって酸化物を予め形成されたプラズモン材料の周りに形成することで、自然／天然酸化物シェルを人工的に厚くするなどして、酸化物シェルを少なくとも部分的に人工的に形成してもよい。いくつかの実施形態によれば、酸化物シェルの厚さは、約３０ｎｍまで、または約２５ｎｍまで、または約１５ｎｍまでであってもよい。いくつかの実施形態によれば、酸化物シェルの厚さは、少なくとも約０．５ｎｍ、または少なくとも１ｎｍ、または少なくとも１．５ｎｍであってもよい。いくつかの実施形態によれば、酸化物シェルの厚さは、約０．１ｎｍから約５ｎｍ、または約０．１ｎｍから約３０ｎｍ、または約１ｎｍから約５ｎｍ、または約１ｎｍから約３０ｎｍである。
【００４５】
当業者であれば、プラズモン材料のサイズ、形、化学的構造は、１または複数の目標波長の吸収に影響することを理解できるであろう。したがって、１または複数のプラズモン材料は、目標波長（例えば、目標波長のセットまたは範囲）の吸収を最大にし、例えば目標波長を認識するが、他の目標でない波長については吸収量が比較的少なくなるように設計されていてもよい。別の例において、本開示のプラズモン材料は所望の化学反応に触媒作用を及ぼすように設計されていてもよい。したがって、いくつかの実施形態によれば、本開示のプラズモン材料は、電磁スペクトルの紫外線から赤外線領域において、プラズモン共鳴振動数または光学的吸収最大値を有してもよい。いくつかの実施形態によれば、プラズモン材料は、可視光スペクトル（約３８０ｎｍから約７６０ｎｍの範囲の波長等）において、プラズモン共鳴振動数を有している。
【００４６】
一般に、プラズモン材料に結合した触媒材料は、（例えば、プラズモン材料と結合していない場合でも）所望の反応に触媒作用を及ぼすことが可能な任意の化合物であってもよい。例えば、前記触媒は、酸化および還元反応、水または大気汚染の緩和反応、ＮＯ×およびＮ２Ｏの分解、アセチレンの水素化等の水素化反応に対する触媒作用、（例えば、フィッシャー・トロプシュ合成反応を用いた炭化水素を生成するための水素化反応と結びつきうる）逆水性ガスシフト反応を介した二酸化炭素から一酸化炭素への転換反応、およびアンモニアの合成を含む窒素活性化反応が可能であってもよい。いくつかの実施形態によれば、本開示の触媒は、任意の金属またはメタロイド元素、任意の合金、酸化物、リン化物、窒化物、またはこれらの組み合わせであってもよい。例えば、本開示の触媒は、触媒活性なパラジウム、白金、ルテニウム、ロジウム、ニッケル、鉄、銅、コバルト、イリジウム、オスミウム、チタン、バナジウム、インジウム、またはこれらの組み合わせを備えてもよい。本開示の触媒は、触媒活性なパラジウム、白金、ルテニウム、ロジウム、ニッケル、鉄、銅、コバルト、イリジウム、オスミウム、チタン、バナジウム、またはインジウムの任意の合金、酸化物、リン化物、または窒化物を備えてもよい。いくつかの実施形態によれば、本開示の触媒は、触媒活性鉄または銅を含む。いくつかの実施形態によれば、本開示の触媒は、金属間ナノ粒子、コア−シェルナノ粒子、または半導体ナノ粒子（例えば、Ｃｕ２Ｏ）であってもよい。
【００４７】
いくつかの実施形態によれば、前記触媒は、プラズモン材料に物理的に付着していてもよく、別の実施形態によれば、前記触媒は、プラズモン材料から小さな距離だけ離れていてもよい（ただし、物理的、電子的、熱的、または光学的結合等によって結合されている）。この分離は、空間（つまり、明確な物理的分離）によって行われてもよいし、上述した薄い酸化物層で行われてもよい。例えば、プラズモン材料と触媒は、リソグラフィ法で形成するときに小さな距離だけ離れて、明確な物理的分離を形成してもよい。１または複数の実施形態によれば、このわずかな分離は、約３０ｎｍまで、または約２５ｎｍまで、または約１５ｎｍまでであってもよい。いくつかの実施形態によれば、この分離は、少なくとも約０．５ｎｍ、または少なくとも２ｎｍ、または少なくとも５ｎｍ、または少なくとも１０ｎｍであってもよい。いくつかの実施形態によれば、１または複数の触媒は、反応に利用可能な表面積を増やすことのできる単一のプラズモン材料の表面に物理的に取り付けられてもよい。いくつかの実施形態によれば、触媒は、プラズモン材料を取り囲むシェルを構成してもよい。
【００４８】
プラズモン光触媒は、約５ｎｍから約３００ｎｍの直径を有してもよい。いくつかの実施形態によれば、本開示のプラズモン光触媒の直径は、約１０ｎｍから約３００ｎｍ、または約５０ｎｍから約３００ｎｍ、または約８０ｎｍから約３００ｎｍ、または約１００ｎｍから約３００ｎｍ、または約５ｎｍから約２５０ｎｍ、約１０ｎｍから約２５０ｎｍ、または約５０ｎｍから約２５０ｎｍ、または約８０ｎｍから約２５０ｎｍ、または約１００ｎｍから約２５０ｎｍ、または約５ｎｍから約２００ｎｍ、約１０ｎｍから約２００ｎｍ、または約５０ｎｍから約２００ｎｍ、または約８０ｎｍから約２００ｎｍ、または約１００ｎｍから約２００ｎｍ、または約８０ｎｍから約２００ｎｍであってもよい。
【００４９】
少なくともいくつかの実施形態におけるリアクタセルは、触媒担体上に分散した１または複数のプラズモン光触媒をさらに有する。筐体と同様に、いくつかの実施形態によれば、触媒担体は低吸光度、特に（特定の放射波長または波長域に対する）十分に低い吸光度を有し、それにより、反応物質が十分な照射量に晒され、その結果、使用中の特定のリアクタセル形状に対して所望の触媒効果を得ることができる。
【００５０】
当業者であれば、所定の光波長（または、波長のセットまたは範囲）に対する所望の吸光度または透過率を有する任意の材料を触媒担体に用いてもよいことを理解できるであろう。いくつかの実施形態によれば、本開示の触媒担体は、シリカ、石英、溶融石英、ガラス、ホウケイ酸ガラス、アルミノ珪酸ガラス、リチウム−アルミノ珪酸ガラス、サファイア、ダイヤモンド、またはそれらの混み合わせを備える。触媒担体は、ビーズ、多孔質ビーズ、繊維、球体、ペレット、（中空またはその他の）円筒、ハニカム、または（例えば、押出加工または錠剤化法を用いた）対称または非対称の３〜４葉体等の、当業界で知られている任意の形状をしてもよい。例えば、図６は、ビーズ状の触媒担体の断面図を示す。いくつかの実施形態によれば、本開示の触媒担体はエアロゲルであってもよい。適切なエアロゲルは、二酸化ケイ素エアロゲル、酸化アルミニウムエアロゲル、二酸化チタンエアロゲル、二酸化ジルコニウムエアロゲル、酸化ホルミウムエアロゲル、酸化サマリウムエアロゲル、酸化エルビウムエアロゲル、酸化ネオジム（ＩＩＩ）エアロゲル、またはそれらの組み合わせを含むが、これらに限定されるものではない。いくつかの実施形態によれば、本開示の触媒担体は二酸化ケイ素エアロゲルである。当業者であれば、担体がエアロゲルである場合、プラズモン光触媒はエアロゲル中に分散していてもよい（例えば、プラズモン光触媒がエアロゲルに埋没していてもよい）。いくつかの実施形態によれば、本開示の触媒担体は、透明な酸化アルミニウム（例えば、α相の酸化アルミニウムまたはγ相の酸化アルミニウム）であってもよい。
【００５１】
プラズモン光触媒は、所望の用途に適した任意の量で触媒担体上に存在してもよい。例えば、触媒担体上に存在するプラズモン光触媒の量は、約０．０１ｗｔ％から約３０ｗｔ％、または約０．０１ｗｔ％から約８０ｗｔ％、または約１０ｗｔ％から約８０ｗｔ％、または約０．０１ｗｔ％から約７０ｗｔ％、または約１０ｗｔ％から約７０ｗｔ％、であってもよい。いくつかの実施形態によれば、触媒担体上に存在するプラズモン光触媒の量は、約０．０１ｖｏｌ％から約３０ｖｏｌ％、または約０．０１ｖｏｌ％から約２０ｖｏｌ％、または約１０ｖｏｌ％から約５０ｖｏｌ％、または約０．０１ｖｏｌ％から約７０ｖｏｌ％、または約１０ｖｏｌ％から約７０ｖｏｌ％、であってもよい。
【００５２】
いくつかの実施形態によれば、プラズモン光触媒は、担体の外面上の薄膜コーティングとして（例えば、１または数枚の層として）、触媒担体上に存在してもよい。１または複数の実施形態によれば、担体にコーティングされたプラズモン光触媒層は、約３０ｎｍまで、または約２５ｎｍまで、または約１５ｎｍまで、または少なくとも約０．５ｎｍ、または少なくとも２ｎｍ、または少なくとも５ｎｍ、または少なくとも１０ｎｍ、または約５ｎｍから約３００ｎｍ、または約１０ｎｍから約３００ｎｍ、または約５０ｎｍから約３００ｎｍ、または約８０ｎｍから約３００ｎｍ、または約１００ｎｍから約３００ｎｍ、または約５ｎｍから約２００ｎｍ、約１０ｎｍから約２００ｎｍ、または約５０ｎｍから約２００ｎｍ、または約８０ｎｍから約２００ｎｍ、または約１００ｎｍから約２００ｎｍ、または約８０ｎｍから約２００ｎｍ、または約５ｎｍから約１００ｎｍ、または約１０ｎｍから約１００ｎｍ、または約５０ｎｍから約１００ｎｍ、または約１０ｎｍから約５０ｎｍ、または約１ｎｍから約５０ｎｍ、の厚さであってもよい。
【００５３】
いくつかの実施形態によれば、リアクタセルは、筐体内に配置された触媒担体上の一つのプラズモン光触媒を備える（例えば、１種類の坦持されたプラズモン光触媒が筐体内に配置されている）。いくつかの実施形態によれば、リアクタセルは、筐体内に配置された触媒担体上の２以上のプラズモン光触媒を備える（例えば、２以上の異なるプラズモン光触媒が筐体内に配置されている）。担体上の２以上のプラズモン光触媒は、混合された状態でも、別々の層の状態でも、どちらの状態でもよい。例えば、それぞれの層が、所望のプラズモン共鳴振動数および／または所望の直径を有する坦持された１種類のプラズモン光触媒を有してもよい。非限定的な例では、ある層が、ある所望の波長域を他の波長に比較して吸収し、次の層が別の波長域を吸収し、最後の層（例えば中間層）が第１および第２の波長域以外の波長等、別の波長を吸収する。
【００５４】
一般に、リアクタセルは、光源によってプラズモン光触媒を照射できるように構成されている。本開示のリアクタセルのある実施形態を、図１Ａの断面図に示す。同じリアクタセル１００の要素も、図１Ｂの分解図に示す。ここで、図示されたリアクタセル１００は、光学的に透明な筐体１１０の内部に配置された触媒担体１２０上のプラズモン光触媒を備えている。リアクタセル１００は、少なくとも１つの反応物質入力１３０と少なくとも１つの改質物出力１４０のための少なくとも１つの輸送経路にセルを取り付けるように構成された取り付け具１６０をさらに備えてもよい。リアクタセル１００は、光学的に透明な筐体１１０内に触媒を保持するように構成された１または複数のパッキン支持部１５０をさらに備えてもよい。
【００５５】
リアクタセルの筐体の大きさと形は、所望の要求を満たすように選択してもよい。いくつかの実施形態によれば、筐体は約０．２ｃｍから約１０ｃｍ、または約０．５ｃｍから約３ｃｍの内径を有する。いくつかの実施形態によれば、筐体は、約１０ｃｍから約２ｍ、または約５０ｃｍから約１ｍの長さを有する。リアクタセルの筐体は、例えば、断面が円形または多角形であってもよい。
【００５６】
上述したように、リアクタセルは、少なくとも１つの反応物質を筐体に輸送するための、または少なくとも１つの改質物を筐体から輸送するための、少なくとも１つの輸送経路にリアクタセルを取り付けるように構成された１または複数の取り付け具（例えば、図１Ａ、１Ｂに示す取り付け具１６０）をさらに備えてもよい。例えば、取り付け具は、反応物質入力に結合されたた第１の取り付け具と、改質物出力に結合された第２の取り付け具とを備えてもよい。本開示の取り付け具は、低合金鋼、高合金鋼、クロム合金、ニッケル合金、プラスチック、ガラス、ホウケイ酸ガラス、石英、溶融石英、アルミノ珪酸ガラス、リチウム−アルミノ珪酸ガラス、またはそれらの組み合わせを備えてもよい。必要に応じて、本開示の取り付け具は、Ｏリングまたは他のシール機構をさらに備えてもよい。他の取り付け部材および／またはシール機構も可能であり、本開示の範囲内であることが意図されている。
【００５７】
リアクタセルは、触媒を筐体内に保持するように構成された１または複数のパッキン支持部（例えば、図１Ａ、図１Ｂに示すパッキン支持部１５０）をさらに備えてもよい。いくつかの実施形態によれば、パッキン支持部はリアクタセルの入力端部と出力端部とに設けられている。いくつかの実施形態によれば、パッキン支持部は、リアクタセルの入力端部と出力端部とにスペースを空けて設けられている。パッキン支持部として用いられる従来の材料は、例えば、金属網、（担体よりも径が大きい）ガラスビーズ、ガラスウール、モノリス、ポリマー、またはエストラマーであってもよい。
【００５８】
いくつかの実施形態によれば、光学的に透明な筐体は、外側の空洞、外側の空洞と同軸上に配置された中央の空洞とをさらに備え、外側の空洞は触媒担体上のプラズモン光触媒を含み、中央の空洞は光源または温度管理機構を配置可能に構成されている。いくつかの実施形態によれば、光源は、光学的に透明な筐体の中央の空洞に配置されている。いくつかの実施形態によれば、光源は、筐体の長さ方向に沿って、または長さ方向を貫通するように延びている。任意の適切な光源は、ＬＥＤ、メタルハライドランプ、高圧ナトリウムランプ、キセノンランプ、白熱電球、蛍光ランプ、ハロゲンランプ、ＨＩＤ、レーザ、またはこれらの組み合わせであってもよいが、これらには限定されない。太陽光などの自然光を、光源として中央の空洞に導入してもよい。いくつかの実施形態によれば、温度管理機構は光学的に透明な筐体の中央の空洞に配置される。当該分野で知られている任意の温度管理機構を用いてもよい。例えば、温度管理機構は、流体がリアクタセルを通ってリアクタセルに熱を加えるまたはリアクタセルから熱を取り除くように、中央の空洞の第１の端部に結合した流体入力と、中央の空洞の第２の端部に結合した流体出力とを備えてもよく、または、温度管理機構は、熱伝導可能な金属ロッドまたは金属ワイヤを備えてもよい。
【００５９】
ある別の実施形態によれば、リアクタシステムの筐体および各リアクタセルのハウジングは光学的に透明でなくてもよい。この実施形態によれば、リアクタシステムは、ハウジングと、それぞれ光源を有する複数のリアクタセルを備える。この実施形態によれば、各リアクタセルがそれぞれ光源を有するので、各リアクタセルの筐体が光学的に透明でなくてもよく、代わりに、筐体内部へ光源からの光を反射するように反射可能であってもよい。各リアクタセルは入力と出力とを有してもよく、各リアクタセルは筐体内に配置された触媒担体上の少なくとも１つのプラズモン光触媒を有し、プラズモン光触媒はプラズモン材料に結合された触媒を備える。リアクタシステムは、各リアクタセルの入力を介して少なくとも１つの反応物質を複数のリアクタセルに分配する分配器と、各リアクタセルの出力を介して複数のリアクタセルから少なくとも１つの改質物を集積する集積器とをさらに備える。
【００６０】
別の態様によれば、リアクタシステムを用いて反応物質を変化させる方法を提供する。具体的には、本開示は、少なくとも１つの反応物質を少なくとも１つの改質物に変化させる方法を提供し、この方法は、少なくとも１つの反応物質を本開示のリアクタシステムに加える工程と、少なくとも１つの光源を用いてリアクタシステムおよび／またはリアクタセルの内部を照射する工程とを備えている。
【００６１】
本開示の方法の別の実施形態によれば、前記照射は、リアクタシステムの外部の光源から行われる。
【００６２】
いくつかの実施形態の方法によれば、（例えば、専用の熱源から等）外部からの加熱を行わない。いくつかの実施形態によれば、前記方法は、リアクタセルを外部から加熱する工程をさらに備える。外部からの加熱は、上述の温度管理機構、または別の加熱方法によって行われる。
【００６３】
本開示の代表的な方法は、酸化還元反応、水または大気汚染の緩和反応、ＮＯＸおよびＮ２Ｏの分解、アセチレンの水素化等の水素化、二酸化炭素転換、およびアンモニアの合成を含む窒素活性化反応を含むが、これらに限定されるものではない。代表的な化学的転換として、以下のものがあげられる。
【００６４】
ＣＨ４＋Ｈ２Ｏ→Ｈ２＋ＣＯ
ＣＨ４＋ＣＯ２→Ｈ２＋ＣＯ
Ｈ２Ｏ＋ＣＯ→Ｈ２＋ＣＯ２
ＣＯ２＋Ｈ２→ＣＯ＋Ｈ２Ｏ
ＣＯ２＋Ｈ２→ＣＨ４＋Ｈ２Ｏ
Ｎ２Ｏ→Ｎ２＋Ｏ２
Ｃ２Ｈ２＋Ｈ２→Ｃ２Ｈ４
Ｈ２＋Ｎ２→ＮＨ３
ＣＯ２＋Ｈ２→ＣＨ４ＯＨ＋Ｈ２Ｏ
したがって、いくつかの実施形態によれば、反応物質はメタンおよび水、または反応物質はメタンおよび二酸化炭素、または反応物質は一酸化炭素および水、または反応物質は二酸化炭素および水素ガス、または反応物質は亜酸化窒素、または反応物質はアセチレンおよび水素ガス、または反応物質は水素ガスおよび窒素ガス、または反応物質は二酸化炭素および水素ガスである。
【００６５】
本開示の方法は、任意の適切な温度で行われてもよい。例えば、いくつかの実施形態によれば、本開示の方法は、約１００°Ｃから約３００°Ｃ、または約１００°Ｃから約２５０°Ｃ、または約１００°Ｃから約２００°Ｃ、または約１５０°Ｃから約３００°Ｃ、または約１５０°Ｃから約２５０°Ｃ、または約１５０°Ｃから約２００°Ｃ、または約２００°Ｃから約３００°Ｃ、または約２００°Ｃから約２５０°Ｃ、または約１８０°Ｃから約２２０°Ｃ、または約１９０°Ｃから約２１０°Ｃ、または約２０°Ｃから約３００°Ｃ、または約２０°Ｃから約２５０°Ｃ、または約２０°Ｃから約２００°Ｃ、または約２０°Ｃから約１５０°Ｃ、または約２０°Ｃから約１００°Ｃ、の範囲で行われる。
【００６６】
本開示の方法は、任意の適切な圧力で行われてもよい。例えば、いくつかの実施形態によれば、本開示の方法は、約１４ｐｓｉから約３００ｐｓｉ、または約１４ｐｓｉから約２００ｐｓｉ、または約１４ｐｓｉから約１００ｐｓｉ、または約１４ｐｓｉから約５０ｐｓｉ、または約１００ｐｓｉから約３００ｐｓｉ、または約１００ｐｓｉから約２００ｐｓｉ、の圧力範囲で行われる。
【００６７】
本開示の方法において、反応物質は、任意の適切な温度でリアクタシステムに導入されうる。いくつかの実施形態によれば、リアクタセルに導入されるとき、反応物質は、約２００°Ｃから約３００°Ｃ、または約２００°Ｃから約２７０°Ｃ、または約２００°Ｃから約２５０°Ｃ、または約２３０°Ｃから約２７０°Ｃの温度である。
【００６８】
本明細書に記載された実施例および実施形態は例示目的のためにのみ用いられるものであり、それによる種々の変型または変更が当業者に提案され、本出願の精神および範囲ならびに請求項の範囲の中に組み込まれるべきであることが理解される。本明細書に引用される全ての出版物、特許、および特許出願は、全ての目的のために、引用により本明細書に組み込まれる。
【図１Ａ】
2020525283.tif 000003
【図１Ｂ】
2020525283.tif 000004
【図２Ａ】
2020525283.tif 000005
【図２Ｂ】
2020525283.tif 000006
【図３Ａ】
2020525283.tif 000007
【図３Ｂ】
2020525283.tif 000008
【図４Ａ】
2020525283.tif 000009
【図４Ｂ】
2020525283.tif 000010
【図５Ａ】
2020525283.tif 000011
【図５Ｂ】
2020525283.tif 000012
【図６】
2020525283.tif 000013
【図７Ａ】
2020525283.tif 000014
【図７Ｂ】
2020525283.tif 000015
【図７Ｃ】
2020525283.tif 000016
【図７Ｄ】
2020525283.tif 000017
【図８】
2020525283.tif 000018
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内部に配置され、筐体と、前記少なくとも１つの筐体内に配置された触媒担体上のプラズモン光触媒とを備える少なくとも１つのリアクタセルであって、前記筐体は、光学的に透明であり、反応物質を前記少なくとも１つのセルに入力するための少なくとも１つの入力と、改質物を前記少なくとも１つのセルから排出するための少なくとも１つの出力とを備える、前記少なくとも１つのリアクタセルと、
少なくとも１つの光源であって、前記リアクタセルは、該少なくとも１つの光源を使用すると前記反応物質を前記改質物に変化させるように構成されている、前記少なくとも１つの光源とを備える、リアクタシステム。
【請求項２】
前記少なくとも１つの光源は、前記ハウジングの中央長軸に沿って延びかつ同軸に配置されている、請求項１に記載のリアクタシステム。
【請求項３】
前記少なくとも１つの光源は、前記ハウジング内で同軸に配置され、前記少なくとも１つのリアクタセルは、前記少なくとも１つの光源を取り囲むように配置された複数のリアクタセルを備える、請求項１に記載のリアクタシステム。
【請求項４】
前記少なくとも１つの光源は、ＬＥＤ、メタルハライドランプ、高圧ナトリウムランプ、キセノンランプ、白熱電球、蛍光ランプ、ハロゲンランプ、ＨＩＤランプ、およびレーザからなる群から選択される少なくとも１つの光源を備える、請求項１に記載のリアクタシステム。
【請求項５】
前記複数のリアクタセルはそれぞれ、外側の空洞と、該外側の空洞と同軸に配置された中央の空洞とを有する筐体を備え、各リアクタセルの前記外側の空洞は前記触媒担体上のプラズモン光触媒を含み、前記中央の空洞は、光源と温度管理機構のうちの少なくとも１つを配置できるように構成されている、請求項１に記載のリアクタシステム。
【請求項６】
前記温度管理機構は、金属ロッド、複数の金属ワイヤ、または流体温度管理システムのうちの少なくとも１つであり、前記流体温度管理システムは、供給された流体が前記複数のリアクタセルのそれぞれを通って前記リアクタシステムの温度を変更するように（ａ）各リアクタセルの前記中央の空洞の第１の端部に結合された流体入力と、（ｂ）各リアクタセルの前記中央の空洞の第２の端部に結合された流体出力とを備えている、請求項５に記載のリアクタシステム。
【請求項７】
各リアクタセルの前記少なくとも１つの入力に接続されたリアクタ流体分配器と、
各リアクタセルの少なくとも１つの出力に接続された流体集積器とをさらに備える、請求項１に記載のリアクタシステム。
【請求項８】
前記少なくとも１つのセルの筐体へ前記少なくとも１つの反応物質を輸送する、または前記少なくとも１つのセルの筐体から前記少なくとも１つの改質物を輸送するための少なくとも１つの輸送経路に前記少なくとも１つのセルを結合する１または複数の取り付け具をさらに備える、請求項１に記載のリアクタシステム。
【請求項９】
前記少なくとも１つの反応物質は流体である、請求項１に記載のリアクタシステム。
【請求項１０】
太陽光集中装置と、
光触媒リアクタセルへの電磁放射の発生を増加させるように前記太陽光集中装置に対して配置された光触媒リアクタセルとを備える、リアクタシステム。
【請求項１１】
前記太陽光集中装置は反射板または屈折器を備える、請求項１０に記載のリアクタシステム。
【請求項１２】
前記太陽光集中装置はフレネルレンズを備え、前記光触媒リアクタセルは前記フレネルレンズの焦点に配置されている、請求項１０に記載のリアクタシステム。
【請求項１３】
複数の太陽光集中装置と、前記光触媒リアクタセルのそれぞれへの電磁放射の発生を増加させるように前記複数の太陽光集中装置に対して配置された複数の光触媒リアクタセルとをさらに備える、請求項１０に記載のリアクタシステム。
【請求項１４】
少なくとも１つの反応物質を少なくとも１つの改質物に変化させる方法であって、
少なくとも１つの反応物質をハウジング内に配置された複数のリアクタセル内に分配する工程であって、前記リアクタセルは、光学的に透明な筐体と、該光学的に透明な筐体内に配置された触媒担体上のプラズモン光触媒とを備える工程と、
前記複数のリアクタセルが少なくとも１つの反応物質を少なくとも１つの改質物に変化させるように、少なくとも１つの光源を介して前記ハウジングの内部を照射する工程と、
前記複数のリアクタセルから前記少なくとも１つの改質物を集める工程と、を備える方法。
【請求項１５】
前記ハウジングは、反射内表面を備え、前記ハウジングの反射内表面で少なくとも１つの光源からの光を反射し、前記複数のリアクタセルへ導く工程をさらに備える、請求項１４に記載の方法。
【請求項１６】
前記複数のリアクタセルのそれぞれの光学的に透明な筐体は、外側の空洞と、該外側の空洞と同軸に配置された中央の空洞とを備え、各リアクタセルの前記外側の空洞は、前記触媒担体上の前記プラズモン光触媒を含み、各リアクタセルの前記中央の空洞は光源を含み、前記照射は前記複数のリアクタセルのそれぞれの前記中央の空洞に含まれる前記光源から行われる、請求項１４に記載の方法。
【請求項１７】
前記複数のリアクタセルのそれぞれの光学的に透明な筐体は、外側の空洞と、該外側の空洞と同軸に配置された中央の空洞とを備え、各リアクタセルの前記外側の空洞は前記触媒担体上の前記プラズモン光触媒を含み、各リアクタセルの前記中央の空洞は温度管理機構を含み、前記方法は、前記少なくとも１つの反応物質を前記少なくとも１つの改質物に変化させることを補助するように、前記複数のリアクタセルのそれぞれにおける温度管理機構を介して前記複数のリアクタセルを加熱する工程をさらに備える、請求項１４に記載の方法。
【請求項１８】
前記複数のリアクタセルのそれぞれにおいて前記温度管理機構を介して加熱する工程は、前記複数のリアクタセルのそれぞれの前記中央の空洞の第１の端部に結合された流体入力から前記複数のリアクタセルのそれぞれの前記中央の空洞の第２の端部に結合された流体出力へ流体を供給し、前記流体により前記複数のリアクタセルのそれぞれを加熱する工程を備える、請求項１７に記載の方法。
【請求項１９】
前記複数のリアクタセルのそれぞれにおいて前記プラズモン光触媒と反応する前記少なくとも１つの反応物質を介して前記複数のリアクタセルを加熱する工程をさらに備える、請求項１４に記載の方法。
【請求項２０】
前記少なくとも１つの光源は前記ハウジングの外部に設けられた光源を有し、前記ハウジングは少なくとも部分的に透明であり、前記ハウジングの内部を照射する工程は、前記光源からの電磁放射を前記ハウジングを通して前記複数の光触媒リアクタセルへ向ける工程を含む、請求項１４に記載の方法。
【請求項２１】
ハウジングと、
前記ハウジング内に配置された複数のリアクタセルであって、各リアクタセルは、反射内表面を有する筐体と、入力と、出力と、光源と、前記筐体内に配置された触媒担体上の少なくとも１つのプラズモン光触媒であって、前記プラズモン光触媒はプラズモン材料に結合された触媒を備える少なくとも１つのプラズモン光触媒を備える複数のリアクタセルと、
少なくとも１つの反応物質を、各リアクタセルの前記入力を介して前記複数のリアクタセルに分配する分配器と、
各リアクタセルの前記出力を介して、前記複数のリアクタセルから少なくとも１つの改質物を集める集積器とを備える、リアクタシステム。
【請求項２２】
ハウジングと、
前記ハウジング内部に配置された少なくとも１つのリアクタセルであって、前記少なくとも１つのリアクタセルは、筐体と、前記少なくとも１つの筐体内に配置された触媒担体上のプラスモン光触媒とを備え、前記筐体は、光学的に透明であり、反応物質を前記少なくとも１つのセルに入力するための少なくとも１つの入力と、改質物を前記少なくとも１つのセルから排出するための少なくとも１つの出力とを備える、少なくとも１つのリアクタセルとを備え、
前記リアクタセルは、少なくとも１つの光源を使用すると前記反応物質を前記改質物に変化させるように構成される、リアクタシステム。
【国際調査報告】
2020525283.tif 000019
2020525283.tif 000020
2020525283.tif 000021